(57)【要約】【課題】偏心状態の係合ストライカに特に良く適合し、他の応用も有する新しい機能を特徴とするラッチを提供する。【解決手段】回転式歯止めラッチ内にストライカを解放可能に固定するためのラッチ組立て品。ラッチ組立て品は、ハウジングと、回転式歯止めと、アクチュエータとを含む。ハウジングは、ストライカを収納するための切欠きを有する一つの側壁を保有できる。アクチュエータが回転式歯止めを解放し、したがってラッチを開放するように、トリガをハウジングに旋回自在に取り付けできる。【選択図】図１
2006233751.tif 000002
【特許請求の範囲】
【請求項１】
第一パネルを第二パネルに対し解放可能で閉鎖状態に固定していて、前記第二パネルは、第二パネルと固定状態の関係にあるストライカを有しているラッチであって；
ハウジングと；
前記ハウジングに旋回自在に取付けられ、また閉鎖状態と開放状態との間を移動可能になっている歯止めであって、前記歯止めを開放状態に付勢するための付勢手段を備えていて、また前記ストライカを係合するための歯止め係合手段とストライカ係合手段と、を有しているものにおいて、前記ストライカ係合手段は、前記歯止めが旋回されるとき、前記歯止め係合手段により通過される円弧よりも、前記歯止めが旋回されるとき、前記歯止めが旋回する軸の周囲からさらに外へ拡がる円弧を通過するよう、大きさを決められまた設定されている歯止めと；
顎部解放状態と顎部係合状態の間を移動可能な、前記ハウジングに旋回自在に取付けられるアクチュエータであって、顎部係合状態にアクチュエータを付勢するための付勢手段を備えていて、また前記歯止めが旋回する際に前記歯止めにより閉鎖状態に旋回されるように前記歯止め係合手段に係合するためのアクチュエータ係合手段を有しているものにおいて、
前記第一と前記第二のパネルが接近しあい、前記歯止めが前記ストライカを嵌め込むとき、前記歯止めは閉鎖状態に移動され、また前記ストライカ係合手段は前記歯止めを閉鎖状態に保持し、そして前記アクチュエータ手段の旋回運動は、前記付勢手段が前記歯止めを開放状態に回転させることを可能にし、それによって前記ラッチを前記ストライカから離れる状態にすることを可能にするアクチュエータと、を具備している；
ラッチ。
【請求項２】
トリガ手段をさらに具備していて、前記トリガ手段の旋回運動が前記アクチュエータ手段を旋回するように、前記トリガ手段は大きさを決められまた設定されていて、その結果前記歯止めを開放状態へ回転させることを可能にする、請求項１に記載のラッチ。
【請求項３】
前記歯止め付勢手段は、歯止め用スプリングである、請求項１に記載のラッチ。
【請求項４】
前記アクチュエータ付勢手段は、アクチュエータ用スプリングである、請求項１に記載のラッチ。
【請求項５】
前記歯止めと前記アクチュエータを、前記ストライカは前記歯止めに係合し、また前記アクチュエータは前記アクチュエータに係合する中間状態に維持することを可能にするよう、前記歯止め係合手段と前記アクチュエータ係合手段は大きさを決められまた設定される、請求項１に記載のラッチ。
【請求項６】
前記歯止め係合手段は、第一の歯止め係合手段歯部と隣接の第二の歯止め係合手段歯部を有し、また前記アクチュエータ係合手段は、第一のアクチュエータ係合手段歯部と、隣接の第二のアクチュエータ係合手段歯部であって、前記歯止めと前記アクチュエータが中間状態にあるとき、前記第一の歯止め係合手段歯部が、前記第一のアクチュエータ係合手段歯部と前記第二のアクチュエータ係合手段歯部との間で噛合する歯部と、を有する、請求項５に記載のラッチ。
【請求項７】
前記ハウジングは開口を有し、また前記アクチュエータは第一プレートと、対向した第二プレートとを具備し、前記第一と前記第二プレートは、互いに隣接しまた互いに直接的に接触していて、その結果前記アクチュエータは二つの主要な外表面を有し、また前記二つの主要な外表面のうちの一つは前記ハウジングに面する、請求項６に記載のラッチ。
【請求項８】
前記アクチュエータ付勢手段はスプリングであり、前記スプリングは自身の両端部の各々に脚を有し、前記脚のうちの一つは前記ハウジング内の前記開口内に延びる、請求項７に記載のラッチ。
【請求項９】
前記第一プレートと前記第二プレートの一つは凹部を有し、また前記第一プレートと前記第二プレートのもう一つは、前記凹部に嵌め込むため大きさを決められまた設定されるスタッドを有し、その結果前記第一プレートと前記第二プレートは互いに対し固定され続ける、請求項７に記載のラッチ。
【請求項１０】
前記ハウジングは、ストライカを収納するためのＵ形状の切欠きを有する、請求項７に記載のラッチ。
【請求項１１】
前記ストライカ係合手段は第一プレートであり、また前記アクチュエータ係合手段は第二プレートであり、前記第一プレートと前記第二プレートは互いに直接的に接触し、また互いに対し固定されるようになっている、請求項６に記載のラッチ。
【請求項１２】
遊動するストライカ用ハウジングをさらに具備していて、前記遊動するストライカ用ハウジングは；
二つの向き合った端部を有している頂部と；
前記頂部の向き合った端部の各々から延びている対向側壁であって、ストライカを収納するための開口を有している前記側壁の各々において、前記側壁の各々の周縁上の二つの側壁切欠きであって、前記遊動するストライカ用ハウジングの前記頂部と前記側壁の各々の接合部とに隣接して配置されている各側壁切欠きと；
二つの遊動するストライカ用ハウジングスプリングであって、遊動するストライカ用ハウジングスプリングの各々は、前記二つの側壁の各々に対応する側壁切欠きの各々に収納されまた係合されているスプリングループを形成する二つのスプリング脚部を有していて、また遊動するストライカ用ハウジングスプリングの各々は、前記ストライカの表面に係合しまた前記二つの側壁の前記開口内に前記ストライカを心出し状態に維持するためのスプリング部分を有していて、それによって前記歯止めに前記ストライカを嵌め込む際に、前記遊動するストライカ用ハウジングスプリングが、前記二つの側壁開口内に前記ストライカの移動を可能にするスプリングと、を有している；
請求項１に記載のラッチ。
【請求項１３】
遊動するストライカ用ハウジングをさらに具備していて、前記遊動するストライカ用ハウジングは、
二つの向き合った端部を有している頂部と；
前記頂部の向き合った端部の各々から延びている対向側壁であって、
前記側壁の各々は、前記ストライカを収納するための開口と、
前記頂部を通って延び、また二つの対向側壁の間を延びる頂部スロットと、
二つの遊動するストライカ用ハウジングスプリングであって、遊動するストライカ用ハウジングスプリングの各々は、頂部の内表面を付勢するＵ形状部分を有していて、前記遊動するストライカ用ハウジングスプリングは、前記遊動するストライカ用ハウジングの外部の前記ストライカの表面に係合する二つのスプリング脚部を有していて、また前記スプリング脚部は前記二つの側壁の前記開口内に前記ストライカを心出し状態に維持していて、それによって前記歯止めに前記ストライカを嵌め込む際に、前記遊動するストライカ用ハウジングスプリングが、前記二つの側壁開口内に前記ストライカの移動を可能にするスプリングと、を有している側壁と；
を有している、請求項１に記載のラッチ。
【請求項１４】
スプリング脚部の各々は、前記スプリング脚部の端部に隣接して屈曲を有し、その結果前記屈曲と前記スプリング脚部の前記端部との間の位置と、前記屈曲と前記Ｕ形状部分との間の位置とで、前記ストライカが前記スプリング脚部に係合する、請求項１３に記載のラッチ。
【請求項１５】
遊動するストライカ用ハウジングをさらに具備していて、前記遊動するストライカ用ハウジングは、
二つの向き合っている端部を有している頂部と；
前記頂部の向き合っている端部の各々から延びている対向側壁であって、
前記側壁の各々は、前記ストライカを収納するための開口と、
前記側壁の各々の周縁上の二つの側壁隆起であって、前記遊動するストライカ用ハウジングの前記頂部と前記側壁の各々の接合部に隣接して配置されている各側壁隆起と、
を有する側壁と；
二つの遊動するストライカ用ハウジングスプリングであって、遊動するストライカ用ハウジングスプリングの各々は、前記二つの側壁の各々に対応する側壁隆起の各々に収納されまた係合されるための二つのスプリング脚部を有していて、また遊動するストライカ用ハウジングスプリングの各々は、前記ハウジングの外部で前記ストライカの表面に係合するためのコイル部分を有していて、また前記二つの側壁の前記開口内に前記ストライカを心出し状態に維持していて、それによって前記歯止めに前記ストライカを嵌め込む際に、前記遊動するストライカ用ハウジングスプリングは、前記二つの側壁開口内に前記ストライカの移動を可能にする、スプリングと；
を有している、請求項１に記載のラッチ。
【発明の詳細な説明】
【技術分野】
【０００１】
本発明は、ラッチ組立て品の分野に関する。
【背景技術】
【０００２】
ラッチ組立て品は、パネルなどと共に物品を固定するための多くの応用に利用される。ラッチの重要な用途は, 例えば車両の客室など車室にアクセスする要望とニーズがある自動車分野である。パネル閉鎖用のさまざまなラッチは、開き戸などパネルの一方が、固定パネル、あるいはドア枠あるいは車体へ取り付けられあるいは固定される状態にある場所に使用されてきた。多くのラッチ組立て品は公知であるが、本発明の独特な特徴を教示しもしくは提唱する、あるいは本発明の利点を達成するものはどれ一つとして見当たらない。
【０００３】
したがって、以前に使用されていたラッチ構成部品は、設置し、移動し、開放し、閉鎖し、ラッチし及びラッチ解除するのに時間のかかるまた容易でない、パネルの固定ストライカを概してより扱いにくいままにしてきた多くの欠点が見られることが理解されるであろう。場合によっては、選定されたラッチと、ロックと、ちょうつがいで連結された構成部品は、無効化する、強制する、破壊するあるいは迂回することが比較的簡単になっている自身の理由により、所望するよりも短い耐用年数及び/又は所望するよりも劣る安全度を備えてきた。ときには、ラッチと、ロックと、ちょうつがいで連結された構成部品は、あまりに弱いので、通常のサービス利用の際に遭遇する力に耐えることができず（例えば、軽トラックがあちこち移動するとシフトする貨物により、これらの構成部品が打撃を受ける結果としての、損傷あるいは意図せぬ放出が指摘され続けてきた）、あるいはこれらの構成部品は、貨物用に予約される貨物室の領域に計画するような大きさと容積を担うことができなかった。
【０００４】
回転式ラッチは、トリガにより作動される歯止めの回転によりストライカを二つの軸線内に把持する。ラッチと、円筒型であると良いストライカの軸に沿うストライカとの間には移動の自由度があると良い。これは、ラッチが取付けられる枠あるいは第一パネルと、ストライカが取付けられる扉あるいは他の第二パネルとの間の嵌め合いの許容範囲値に製造することを可能にさせる。さらに、回転式ラッチなどのラッチに固定される状態にあるストライカが、ストライカと係合用の留め金と一直線になっているのに対し、偏心状態にあるときは、困難に直面し続けてきた。ストライカがラッチの切欠きあるいは口部にいつも収まるように、厳しい許容値を扉あるいは枠に確保し続けることが実用的ではない場合がある。ラッチとストライカとの間のずれは、環境条件による構造物の膨張と収縮、あるいは使用中の磨耗による構成部品の移動、あるいは誤用による構成部品のひずみを、製造上と組立て上との許容範囲値にできる理由になる。
【発明の開示】
【発明が解決しようとする課題】
【０００５】
本発明は、偏心状態の係合ストライカに特に良く適合し、他の応用も有する新しい機能を特徴とするラッチを提供することにより、前述及び他のニーズと、先行技術の欠点との問題などを解決することを目的とする。
【課題を解決するための手段】
【０００６】
本発明の好適な別の実施態様に記載の、ラッチ用ストライカに解放可能に提供される回転式ラッチは、扉あるいはパネルに接続される。これらのラッチのハウジングは、ネジ部品など取付けハードウェアと協働できる長い孔あるいは他の取付け構造を支持する取付け表面を備え、その結果ラッチが適正に機能するようラッチの位置決めの調整を可能にする方法で回転式ラッチを取付けるよう必要に応じ修正されると良い。本発明の回転式ラッチのトリガを、ユーザ、あるいは棒、あるいはケ−ブルあるいは別の部材により操作できる。
【０００７】
本発明のストライカ組立て品は、ストライカの軸に垂直な方向のストライカの移動あるいは遊動を可能にする。さらに、ストライカ組立て品のボルトは、ストライカがラッチから解放されるとき心出し状態へ戻るよう対処される。この心出し状態は、たとえストライカとラッチが係合のために正確に整列しなくても、ラッチとストライカの次の係合の際に、ストライカがラッチに係合する状態になるように所望される。
【０００８】
本発明は、ラッチをストライカに固定するための回転式ラッチ装置を対象にしている。本発明は、ハウジングと、回転式歯止めと、アクチュエータと、ラッチが閉鎖状態にあるとき、ストライカを解放するためのトリガ手段とを含む。歯止めは、ハウジングに旋回自在に取付けられ、また閉鎖あるいは係合状態と、開放あるいは離脱状態との間を回転自在に移動可能である。ラッチは、付勢手段を提供できる両アクチュエータ手段と、回転式歯止めの係合によりストライカを保持できる、中間状態も保有できる。
【０００９】
ストライカが回転式歯止めの部分と係合するとき、歯止めは、歯止めの歯部がアクチュエータ歯部に噛合するように回転される。歯部を、中間の係合状態がラッチにより達成され、またストライカが定位置に保持されるような、大きさにできまた設定できる。あるいは歯部を、中間の係合状態がラッチにより達成され、もしより大きな力が加えられるならば、トリガが歯止めを解放するまで、ストライカがラッチから解放されない閉鎖あるいはラッチ状態が達成されるような、大きさにできまた設定できる。
【００１０】
回転式歯止めを、組立てを容易にするため三つの連結可能なプレートから作製できる。そのような形態において、一つのプレートから作製できる回転式歯止めの隆起のストライカ係合部分は、連結可能である二つのプレートから作製できる回転式歯止めのアクチュエータ係合部分よりも遠くに拡がる円弧を通過する。プレートを、隣のプレート上の凹部に嵌め込まれるプレート上のスタッドにより連結できる。隆起のストライカ係合部分は歯止めのアクチュエータ係合部分より遠くに拡がり、歯止めの歯部が歯止め旋回軸により接近できるので、本発明のラッチを、他の回転式歯止めに比較してより小さな寸法にできる。
【００１１】
ラッチが、ハウジングの一方の側の歯止めと、ハウジングのもう一方の側のアクチュエータとを交互に備えることができる、単一のハウジング側部プレートを保有できるという利点も、本発明のラッチは有する。
【発明を実施するための最良の形態】
【００１２】
図１−１７を参照して、本発明に従って作製されたラッチ１００を見ることができる。ラッチ１００は、図１に見られるようなラッチ用ハウジング１０４と、歯止め１４０と、アクチュエータ１３８と、ラッチをストライカに係合できる閉鎖状態からラッチを選択的に移動するためのトリガ手段１４２とを含む。図示された実施態様において、トリガ１４２は、アクチュエータ付勢手段３８により作用されるアクチュエータ１３８を選択的に移動するためのトリガ旋回手段４２の周囲を旋回するレバーの形で示される。アクチュエータ付勢手段３８、ここでは、らせん状スプリングは、ハウジング１０４に係合するスプリング脚部３８aと、ハウジング内の切欠き１０５に係合するスプリング脚部３８ｂを有する。同様に、歯止め付勢手段４０、ここでは、らせん状スプリングは、ハウジング１０４に係合するスプリング脚部４０aと、歯止め１４０上の歯止め用スプリング係合手段４１に係合するスプリング脚部４０ｂを有する。歯止め付勢手段４０は、アクチュエータ付勢手段がアクチュエータを図２に見られるように時計回りの方向に付勢するとき、歯止めを開放状態に付勢する。
【００１３】
図１０に見られるように、ストライカ８８が歯止め１４０のストライカ係合部分１４５に係合すると、歯止め１４０は,歯止め歯部１４６がアクチュエータ歯部１４７に噛合するように回転する。図１１において、歯止め１４０とアクチュエータ１３８は、ラッチがストライカ８８を把持する中間の閉鎖状態にあるように、歯止め歯部１４６とアクチュエータ歯部１４７により噛合される。図１２に見られるようなストライカ８８のさらなる移動は、アクチュエータ歯部１４７のうちの一つを越えて移動する歯止め歯部１４６のうちの一つを生じ、その結果ラッチは図１３に見られるような閉鎖状態を達成する。
【００１４】
図１８に見られるようなハウジングは、ストライカ８８と係合用の切欠き２を有し、また同様に歯止め用リベット１０とアクチュエータ用リベット８を収納する、開口４と６を有する。図１９−２２に見られるように、歯止め１４０を、ストライカ係合部分８９を有するストライカ係合手段１４３から形成できる。ストライカ係合手段１４３は、アクチュエータ係合手段１４５の凹部１４中に嵌め込むスタッド１２を有する。スタッド１２と凹部１４は、歯止め１４０をハウジング１０４の開口４と６のどちらにも取付けでき、それによってラッチの右側あるいは左側回転のどちらかを生ずるように、歯止め１４０を配置する。したがって、ストライカ係合手段１４３上のスタッド１６を、アクチュエータ係合手段１４５上の凹部１８に嵌め込むことができる。同様に、アクチュエータ１３８を、図２３と２４に見られるような二つのプレートから形成でき、その中で第一アクチュエータ部品１３８のスタッド２０は、第二アクチュエータ部品の凹部２２に嵌まる。
【００１５】
図２５−２９に見られるように、本発明は同様に、ストライカ８８から形成されるストライカ組立て品１６０と、スプリングループ１６２が第一ストライカ用ハウジングスプリング１６４に係合する側壁切欠き１５８を、各側壁１５４の頂部に有するストライカ用ハウジング１５０とを含む。図２５と、２７と、２９において見られるように、ストライカ組立て品は、ストライカを偏心状態に調整でき、またハウジングスプリング１６４の付勢力によりストライカを図２９aに見られるような心出し状態へ戻すことができる。図２８と２９において示されるように、ストライカ組立て品は、第一パネル１４８を第二パネル１４９に取付けできる。
【００１６】
本発明の自動心出しストライカ用ラッチ組立て品の別の実施態様は、図３０−３２に示され、その中でストライカ用ハウジング１７０は、ストライカ用ハウジングスロット１７８を通って挿入され、Ｕ形状部分１７３がストライカ用ハウジング頂部１７５の底部に突き当たって屈曲され、したがってストライカ８８を心出し状態に付勢している、第二のハウジング用スプリング部分１７４を有する。
【００１７】
図３３と３４に図示されるさらに別の実施態様に示されるように、第三のスプリング１８４は、ストライカ組立て品１８０がストライカ８８をストライカ用ハウジング１８１内で心出し状態に付勢しているように、ストライカ用ハウジング隆起１８５に対し付勢されるスプリング脚部１８３を有する。
【００１８】
本発明の要旨と精神から逸脱することなしに、様々な修正を本発明のラッチに実施できることと、添付の請求項とそれらの均等物との要旨の範囲内にあるラッチの修正と改良を、本発明は対象とすることを意図していること、が当業者には明らかになるであろう。
【図面の簡単な説明】
【００１９】
【図１】図１は、ストライカを収納している開放状態の、本発明に記載の回転式歯止めラッチの等角図である。
【図２】図２は、開放状態の図１の回転式歯止めラッチの正面図である。
【図３】図３は、中間の閉鎖状態の本発明に記載の回転式歯止めラッチの等角図である。
【図４】図４は、図１の回転式歯止めラッチの正面図である。
【図５】図５は、ストライカを係合しているラッチの回転式歯止めを備える、図１の回転式歯止めラッチの正面図である。
【図６】図６は、中間の閉鎖状態のストライカを係合しているラッチの回転式歯止めを備える、図１の回転式歯止めラッチの正面図である。
【図７】図７は、アクチュエータの歯部と噛合しているラッチの回転式歯止めの歯部を備える、図１の回転式歯止めラッチの正面図である。
【図８】図８は、閉鎖状態の図１の回転式歯止めラッチの正面図である。
【図９】図９は、図１の回転式歯止めラッチの平面図である。
【図１０】図１０は、ストライカを係合しているラッチの回転式歯止めを備える、図５の線Ａ-Ａに沿った本発明の回転式歯止めラッチの断面図である。
【図１１】図１１は、中間の閉鎖状態のストライカを係合しているラッチの回転式歯止めを備える、図６の線Ａ-Ａに沿った本発明の回転式歯止めラッチの断面図である。
【図１２】図１２は、アクチュエータの歯部と噛合しているラッチの回転式歯止めの歯部を備える、図７の線Ａ-Ａに沿った本発明の回転式歯止めラッチの断面図である。
【図１３】図１３は、閉鎖状態の図８の線Ａ-Ａに沿った本発明の回転式歯止めラッチの断面図である。
【図１４】図１４は、図１５の線Ｂ-Ｂに沿った本発明の回転式歯止めラッチの断面図である。
【図１５】図１５は、閉鎖状態の本発明の回転式歯止めラッチの正面図である。
【図１６】図１６は、本発明のラッチの分解図である。
【図１７】図１７は、本発明のラッチの分解図である。
【図１８】図１８は、本発明のラッチのハウジングの等角図である。
【図１９】図１９は、本発明のラッチの歯止めのストライカ係合手段の等角図である。
【図２０】図２０は、本発明のラッチの歯止めのストライカ係合手段の側面図である。
【図２１】図２１は、本発明のラッチの歯止めのアクチュエータ係合手段の等角図である。
【図２２】図２２は、本発明のラッチの歯止めのアクチュエータ係合手段の側面図である。
【図２３】図２３は、本発明のラッチの歯止めの歯止め係合手段の等角図である。
【図２４】図２４は、本発明のラッチの歯止めの歯止め係合手段の側面図である。
【図２５】図２５は、ストライカを備えるストライカ組立て品の、第一実施態様の等角図である。
【図２６】図２６は、ストライカを備える本発明のストライカ組立て品の、第一実施態様の分解図である。
【図２７】図２７は、第一パネルに取付けられる図２６のストライカ組立て品と、第二パネルに取付けられ、またストライカを把持している図１のラッチの等角図である。
【図２８】図２８は、心出し状態にあるストライカを把持している、図２６のストライカ組立て品の側面図である。
【図２９】図２９は、偏心状態にあるストライカを把持している、図２６のストライカ組立て品の側面図である。
【図２９ａ】図２９aは、心出し状態にあるストライカを把持している、図２６のストライカ組立て品の等角図である。
【図３０】図３０は、ストライカを備える、本発明のストライカ組立て品の、第二実施態様の等角図である。
【図３１】図３１は、ストライカを備える、図３０のストライカ組立て品の分解図である。
【図３２】図３２は、ストライカを備える、図３０のストライカ組立て品の底面図である。
【図３３】図３３は、ストライカを備える、本発明のストライカ組立て品の、第三実施態様の分解図である。
【図３４】図３４は、図３３のストライカ組立て品の等角図である。
【符号の説明】
【００２０】
３８    アクチュエータ付勢手段
４０    歯止め付勢手段
４１    歯止め用スプリング係合手段
４２    トリガ旋回手段
８８    ストライカ
１００    ラッチ
１０４    ハウジング
１０５    切欠き
１３８    アクチュエータ
１４０    歯止め
１４２    トリガ
１４３    ストライカ係合手段
【図１】
2006233751.tif 000003
【図２】
2006233751.tif 000004
【図３】
2006233751.tif 000005
【図４】
2006233751.tif 000006
【図５】
2006233751.tif 000007
【図６】
2006233751.tif 000008
【図７】
2006233751.tif 000009
【図８】
2006233751.tif 000010
【図９】
2006233751.tif 000011
【図１０】
2006233751.tif 000012
【図１１】
2006233751.tif 000013
【図１２】
2006233751.tif 000014
【図１３】
2006233751.tif 000015
【図１４】
2006233751.tif 000016
【図１５】
2006233751.tif 000017
【図１６】
2006233751.tif 000018
【図１７】
2006233751.tif 000019
【図１８】
2006233751.tif 000020
【図１９】
2006233751.tif 000021
【図２０】
2006233751.tif 000022
【図２１】
2006233751.tif 000023
【図２２】
2006233751.tif 000024
【図２３】
2006233751.tif 000025
【図２４】
2006233751.tif 000026
【図２５】
2006233751.tif 000027
【図２６】
2006233751.tif 000028
【図２７】
2006233751.tif 000029
【図２８】
2006233751.tif 000030
【図２９】
2006233751.tif 000031
【図２９ａ】
2006233751.tif 000032
【図３０】
2006233751.tif 000033
【図３１】
2006233751.tif 000034
【図３２】
2006233751.tif 000035
【図３３】
2006233751.tif 000036
【図３４】
2006233751.tif 000037
【手続補正書】
【提出日】平成18年5月18日(2006.5.18)
【手続補正１】
【補正対象書類名】明細書
【補正対象項目名】００１２
【補正方法】変更
【補正の内容】
【００１２】
図１−１７を参照して、本発明に従って作製されたラッチ１００を見ることができる。ラッチ１００は、図１に見られるようなラッチ用ハウジング１０４と、歯止め１４０と、アクチュエータ１３８と、ラッチ１００をストライカ８８に係合できる閉鎖状態からラッチ１００を選択的に移動するためのトリガ手段１４２とを含む。図示された実施態様において、トリガ１４２は、アクチュエータ付勢手段３８により作用されるアクチュエータ１３８を選択的に移動するためのトリガ旋回手段４２の周囲を旋回するレバーの形で示される。アクチュエータ付勢手段３８、ここでは、らせん状スプリングは、ハウジング１０４に係合するスプリング脚部３８aと、ハウジング１０４内の切欠き１０５に係合するスプリング脚部３８ｂを有する。同様に、歯止め付勢手段４０、ここでは、らせん状スプリングは、ハウジング１０４に係合するスプリング脚部４０aと、歯止め１４０上の歯止め用スプリング係合手段４１に係合するスプリング脚部４０ｂを有する。歯止め付勢手段４０は、アクチュエータ付勢手段３８がアクチュエータ１３８を図２に見られるように時計回りの方向に付勢するとき、歯止めを開放状態に付勢する。
【手続補正２】
【補正対象書類名】明細書
【補正対象項目名】００１３
【補正方法】変更
【補正の内容】
【００１３】
図１０に見られるように、ストライカ８８が歯止め１４０のストライカ係合部分１４５に係合すると、歯止め１４０は,歯止め歯部１４６がアクチュエータ歯部１４７に噛合するように回転する。図１１において、歯止め１４０とアクチュエータ１３８は、ラッチ１００がストライカ８８を把持する中間の閉鎖状態にあるように、歯止め歯部１４６とアクチュエータ歯部１４７により噛合される。図１２に見られるようなストライカ８８のさらなる移動は、アクチュエータ歯部１４７のうちの一つを越えて移動する歯止め歯部１４６のうちの一つを生じ、その結果ラッチ１００は図１３に見られるような閉鎖状態を達成する。
【手続補正３】
【補正対象書類名】明細書
【補正対象項目名】００１４
【補正方法】変更
【補正の内容】
【００１４】
図１８に見られるようなハウジング１０４は、ストライカ８８と係合用の切欠き２を有し、また同様に歯止め用リベット１０とアクチュエータ用リベット８を収納する、開口４と６を有する。図１９−２２に見られるように、歯止め１４０を、ストライカ係合部分８９を有するストライカ係合手段１４３から形成できる。ストライカ係合手段１４３は、アクチュエータ係合手段１４５の凹部１４中に嵌め込むスタッド１２を有する。スタッド１２と凹部１４は、歯止め１４０をハウジング１０４の開口４と６のどちらにも取付けでき、それによってラッチ１００の右側あるいは左側回転のどちらかを生ずるように、歯止め１４０を配置する。したがって、ストライカ係合手段１４３上のスタッド１６を、アクチュエータ係合手段１４５上の凹部１８に嵌め込むことができる。同様に、アクチュエータ１３８を、図２３と２４に見られるような二つのプレート１８８から形成でき、その中で第一アクチュエータ部品１３８のスタッド２０は、第二アクチュエータ部品の凹部２２に嵌まる。
【手続補正４】
【補正対象書類名】明細書
【補正対象項目名】００１５
【補正方法】変更
【補正の内容】
【００１５】
図２５−２９に見られるように、本発明は同様に、ストライカ８８から形成されるストライカ組立て品１６０と、側壁１５４を有するストライカ用ハウジング頂部１７１を有するストライカ用ハウジング１５０とを含む。各側壁１５４の頂部は、第一のストライカ用ハウジングスプリング１６４のスプリングループ１６２が係合する側壁切欠き１５８を有する。第一のストライカ用ハウジングスプリング１６４は、ストライカ８８の表面９０に係合しまたストライカ８８を二つの側壁１５４の側壁開口部１７７に心出し状態に維持し、それによってストライカに歯止め１４０を嵌め込む際に、遊動する第一のストライカ用ハウジングスプリング１６４が、ストライカ８８の二つの側壁開口部１７７に移動するのを可能にするためのスプリング部１５２を有する。図２５と、２７と、２９において見られるように、ストライカ組立て品１６０は、ストライカ８８を偏心状態に調整でき、また第一のストライカ用ハウジングスプリング１６４の付勢力によりストライカ８８を図２９aに見られるような心出し状態へ戻すことができる。図２８と２９において示されるように、ストライカ組立て品１６０は、第一パネル１４８を第二パネル１４９に取付けできる。
【手続補正５】
【補正対象書類名】明細書
【補正対象項目名】００１６
【補正方法】変更
【補正の内容】
【００１６】
本発明の自動心出しストライカ用ラッチ組立て品の別の実施態様は、図３０−３２に示され、その中でストライカ用ハウジング１７０は、ストライカ用ハウジングスロット１７８を通って挿入され、Ｕ形状部分１７３がストライカ用ハウジング頂部１７５の底部に突き当たって屈曲され、したがってストライカ８８を側壁開口部１７７に心出し状態に付勢している、第二のハウジング用スプリング部分１７４を有する。第二のストライカ用ハウジングスプリング１７４は、ストライカ８８が、屈曲１８６と前記スプリング脚部１７９の端部との間の位置と、屈曲１８６とＵ形状部分１７３との間の位置でスプリング脚部１７９に係合するように、スプリング脚部１７９の各端部に隣接する屈曲１８６を保有できる。
【手続補正６】
【補正対象書類名】明細書
【補正対象項目名】００１７
【補正方法】変更
【補正の内容】
【００１７】
図３３と３４に図示されるさらに別の実施態様に示されるように、第三のストライカ用ハウジングスプリング１８４は、ストライカ組立て品１８０がストライカ８８をストライカ用ハウジング１８１内で心出し状態に付勢するように、ストライカ用ハウジング隆起１８５に対し付勢されるスプリング脚部１８３を有する。第三のストライカ用ハウジングスプリング１８４は、ハウジングの外部のストライカ８８表面に係合し、ストライカ８８を心出し状態に維持するためのコイル部分１８９を有する。
【外国語明細書】
2006233751000001.pdf